(57)【要約】【課題】パフォーマンス機構が正常に動作するか否かの検査が容易な時計及び時計の制御方法を提供することを課題とする。【解決手段】時計１は、モータの動力により回転すると共に手動により強制的に回転可能な分針９と、分針９が所定位置にあることを検出する検出機構９０と、所定のパフォーマンスを実行可能なＬＥＤ７と、検出機構９０が検出してからランダムな時間経過後にＬＥＤ７を点灯させる制御部１００と、を備え、制御部１００は、検出機構９０が前回の検出した時から今回の検出した時までの検出間隔をカウントし、カウントしたカウンタ値が、分針９がモータの動力にのみ基づいて回転した場合に予想される予想カウンタ値よりも小さいか否かを判定し、カウンタ値が予想カウンタ値よりも小さい場合には、ＬＥＤ７を点灯させる。【選択図】図５
2011038774.tif 000002
【特許請求の範囲】
【請求項１】
駆動源の動力により回転すると共に手動により強制的に回転可能な指針と、
前記指針が所定位置にあることを検出する検出機構と、
所定のパフォーマンスを実行可能なパフォーマンス機構と、
前記検出機構が検出した場合には前記パフォーマンス機構を駆動するか否かを決定し、前記パフォーマンス機構を駆動すると決定した場合には、所定の時間経過後に前記パフォーマンス機構を駆動する制御部と、を備え、
前記制御部は、前記検出機構が前回の検出した時から今回の検出した時までの検出間隔をカウントし、
カウントしたカウンタ値が、前記指針が前記駆動源の動力にのみ基づいて回転した場合に予想される予想カウンタ値よりも小さいか否かを判定し、
前記カウンタ値が前記予想カウンタ値よりも小さい場合には、前記パフォーマンス機構を駆動する、時計。
【請求項２】
前記所定の時間は、前記指針が前記駆動源の動力のみに基いて回転した場合に、前記検出機構が検出してから次に検出機構が検出するまでの範囲内で、前記制御部によりランダムに決定される、
ことを特徴とする請求項１に記載の時計。
【請求項３】
駆動源の動力により回転すると共に手動により強制的に回転可能な指針が所定位置にあることを検出し、
前回の検出した時から今回の検出した時までの検出間隔をカウントし、
カウントしたカウンタ値が、前記指針が前記駆動源の動力にのみ基づいて回転した場合に予想される予想カウンタ値よりも小さいか否かを判定し、
前記カウンタ値が前記予想カウンタ値よりも小さい場合には、所定のパフォーマンスを実行する、時計の制御方法。
【発明の詳細な説明】
【技術分野】
【０００１】
本発明は、時計及び時計の制御方法に関する。
【背景技術】
【０００２】
所定の条件成立時に所定のパフォーマンスを実行する時計がある。特許文献１には、正時直後に人が時計の近くに現われた場合や時計の周囲が明るくなった場合でも時計のパフォーマンスを行なう時計が開示されている。
【先行技術文献】
【特許文献】
【０００３】
【特許文献１】特開平５−３３１６７号公報
【発明の概要】
【発明が解決しようとする課題】
【０００４】
例えば製品出荷前には、パフォーマンスが正常に行なわれるか否かの検査をする必要がある。しかしながら、特許文献１に開示されている時計のように正時に至ったこと以外の条件がパフォーマンスの実行条件であると、パフォーマンス機構が正常に動作するか否かの検査が煩雑となる恐れがある。
【０００５】
そこで本発明は、パフォーマンス機構が正常に動作するか否かの検査が容易な時計及び時計の制御方法を提供することを目的とする。
【課題を解決するための手段】
【０００６】
上記目的は、駆動源の動力により回転すると共に手動により強制的に回転可能な指針と、前記指針が所定位置にあることを検出する検出機構と、所定のパフォーマンスを実行可能なパフォーマンス機構と、前記検出機構が検出した場合には前記パフォーマンス機構を駆動するか否かを決定し、前記パフォーマンス機構を駆動すると決定した場合には、所定の時間経過後に前記パフォーマンス機構を駆動する制御部と、を備え、前記制御部は、前記検出機構が前回の検出した時から今回の検出した時までの検出間隔をカウントし、カウントしたカウンタ値が、前記指針が前記駆動源の動力にのみ基づいて回転した場合に予想される予想カウンタ値よりも小さいか否かを判定し、前記カウンタ値が前記予想カウンタ値よりも小さい場合には、前記パフォーマンス機構を駆動する、時計によって達成できる。
【０００７】
また、上記目的は、駆動源の動力により回転すると共に手動により強制的に回転可能な指針が所定位置にあることを検出し、前回の検出した時から今回の検出した時までの検出間隔をカウントし、カウントしたカウンタ値が、前記指針が前記駆動源の動力にのみ基づいて回転した場合に予想される予想カウンタ値よりも小さいか否かを判定し、前記カウンタ値が前記予想カウンタ値よりも小さい場合には、所定のパフォーマンスを実行する、時計の制御方法によっても達成できる。
【発明の効果】
【０００８】
パフォーマンス機構が正常に動作するか否かの検査が容易な時計及び時計の制御方法を提供できる。
【図面の簡単な説明】
【０００９】
【図１】本実施例の時計の正面図である。
【図２】時計の断面図である。
【図３】輪列機構を示した図である。
【図４】制御部の説明図である。
【図５】制御部が実行する制御の一例を示したフローチャートである。
【発明を実施するための形態】
【００１０】
以下、本実施例に係る時計について説明する。図１は、本実施例に係る時計の正面図である。図１に示すように、時計１は、正面板３、時針８、分針９、正面板３の略中心に配置されたカバー６、カバー６内に配置されたＬＥＤ７、を有している。カバー６は、プラスチック製であり、光透過性を有しており所定の色に着色されている。カバー６は、無色透明であってもよい。ＬＥＤ７は、所定の条件成立時に点灯する。ＬＥＤ７は、正面板３の正面側に配置され、カバー６により覆われている。時計１は、ＬＥＤ７を点灯させることによりパフォーマンスを実行する。ＬＥＤ７は、時針８、分針９の周りに等間隔に３つ設けられている。
【００１１】
ＬＥＤ７は、パフォーマンス機構として機能する。単一のＬＥＤ７は、３つのＬＥＤから構成される。３つのＬＥＤは、それぞれ赤、青、緑に発光する。３つのＬＥＤのそれぞれの輝度を調整することにより、ＬＥＤ７は所望の色で発光させることができる。尚、ＬＥＤ７はカバー６により覆われているため、ＬＥＤ７が点灯していない状態ではＬＥＤ７を視認することはできない。
【００１２】
図２は、時計１の断面図である。
図２に示すように、正面板３と背面板５との間に、時針８、分針９を駆動するための輪列機構が設けられている。ロータ１０は、不図示の電池により回転する。ロータ１０の端部にはピニオンギヤ１１が固定されている。ロータ１０は、時針８、分針９の駆動源であるモータの一部を構成する。モータは、ロータ１０、ロータ１０に磁気的な吸引力又は反発力を作用させるステータ、ステータに巻回された励磁用のコイル、を含む。ロータ１０は、１秒間に１８０度づつ回転する。
【００１３】
ピニオンギヤ１１は、駆動車２０の歯部２１と噛合う。駆動車２０は、歯部２１よりもピッチ円径の小さい歯部２２を有している。歯部２２は、秒針歯車３０の歯部３１と噛合う。秒針歯車３０は、歯部３１よりもピッチ円径の小さい歯部３２を有している。歯部３２は、中間車４０の歯部４１と噛合う。中間車４０は、歯部４１よりもピッチ円径の小さい歯部４２を有している。歯部４２は、分針歯車５０ａの歯部５１と噛合う。
【００１４】
分針歯車５０ａは、分針カナ５０と略同心状に配置されている。分針カナ５０には分針９が連結されている。分針歯車５０ａが回転すると分針カナ５０も回転する。尚、分針歯車５０ａ、分針カナ５０と、秒針歯車３０とは略同心状に配置されている。分針カナ５０には、詳しくは後述するが突起５５を有している。分針歯車５０ａ、分針カナ５０は、６０分間で１回転する。
【００１５】
分針カナ５０は、分針歯車５０ａの歯部５１よりもピッチ円径の小さい歯部５２を有している。歯部５２は、日の裏車６０の歯部６１と噛合う。日の裏車６０は、歯部６１よりもピッチ円径の小さい歯部６２を有している。また、日の裏車６０の歯部６１は、針回しカナ８０の歯部８１と噛合う。日の裏車６０の歯部６２は、時針車７０の歯部７１と噛合う。時針車７０は、時針８と連結されている。
【００１６】
このようにして、モータの回転動力が複数の歯車を介して減速されて、時針８、分針９へと伝達される。時針８、分針９は、モータの動力により駆動する。
【００１７】
針回しカナ８０を手動で回転させると、歯部８１と歯部６１とが噛合い日の裏車６０が回転する。日の裏車６０が回転すると、歯部６１と歯部５２とが噛合っているため分針カナ５０が回転し、歯部６２と歯部７１とが噛合っているため時針車７０が回転する。以上のように、針回しカナ８０を手動で回転させることにより、強制的に時針８、分針９を回転させることができる。
【００１８】
尚、針回しカナ８０を手動で回転させた場合、分針カナ５０は回転するが分針歯車５０ａは回転しない。分針カナ５０と分針歯車５０ａとの間にはスリップする構造が設けられている。分針カナ５０が強制的に回転させられた場合には、分針歯車５０ａは分針カナ５０に対してスリップして回転しない。一方、モータからの動力に基づいて分針歯車５０ａが回転した場合には、分針歯車５０ａの回転と共に分針カナ５０が回転する。
【００１９】
図３は、輪列機構を示した図である。尚、図３においては、分針カナ５０と同心状に配置されている秒針歯車３０については省略してある。図３は、時計１の背面側から輪列機構を見た場合を示している。
【００２０】
図３に示すように、正面板３、背面板５の間には、切片９１、９２、切片９１と導通した突出片９３、切片９２と導通した突出片９４、が配置されている。切片９１、９２は、正面板３の裏面側に固定されている。突出片９３、９４は板バネ状に形成されている。通常状態においては、突出片９３、９４は、互いに接触していない。
【００２１】
分針カナ５０には突起５５が形成されている。突起５５は、分針カナ５０の回転により突出片９４の先端部と接触する。即ち、分針カナ５０が一回転すると突起５５は突出片９４に一回接触する。図３に示すように、分針カナ５０が反時計方向に回転すると突起５５は突出片９４と接触し、更に分針カナ５０が反時計方向に回転すると突起５５は突出片９４を突出片９３から離れるように押圧する。これにより、突出片９４は突出片９３から離れるように弾性変形する。分針カナ５０が更に反時計方向に回転して正時の位置まで回転すると、突出片９４は突起５５から離脱し、突出片９４の弾性復元力により突出片９３と接触する。
【００２２】
突出片９４と突出片９３とが接触することにより、後述する制御部１００に所定の検出信号が送信される。これにより、制御部１００は、分針カナ５０が正時の位置を通過したことを検出することができる。分針カナ５０には分針９が連結されているので、制御部１００は分針９が正時に位置付けられたことを検出できる。尚、分針カナ５０は、モータにより駆動されている場合には、一時間に一回転するため、制御部１００は、一時間毎に分針９の位置を検出している。このように、検出機構９０は、分針９の位置を検出する検出機構として機能する。
【００２３】
尚、針回しカナ８０が回転させられることにより、分針カナ５０が時計方向に回転する場合もある。分針カナ５０が時計方向に回転した場合、突起５５は突出片９４を突出片９３側に押圧し、突出片９４と突出片９３とは接触する。これにより制御部１００は分針９の位置を検出できる。
【００２４】
図４は、制御部１００の説明図である。検出機構９０により位置検出がなされると検出信号が制御部１００へ出力される。制御部１００は、ＣＰＵ、ＲＯＭ、ＲＡＭなどを備えており、時計１全体の動作を制御する。また、制御部１００は例えば制御ソフト上で１秒をカウントし、１秒毎にカウント値を加算していく。検出機構９０からの検出信号を受信すると、１秒毎にカウントしていたカウント値をリセットし、再びカウント値を加算していく。このようにして、制御部１００は検出機構９０により分針９の位置検出がなされてからの経過時間をカウントする。
【００２５】
また制御部１００は、パフォーマンスを実行するか否かを決定し、パフォーマンスを実行する場合には、分針９の位置検出信号を受信してからランダムな時間経過後にＬＥＤ７を点灯させる。このようにしてパフォーマンスが実行される。
【００２６】
以上のように、時計１はパフォーマンスが実行されるかもしれないし、実行されないかもしれないという特徴を持つ。さらにパフォーマンスが実行される場合にも、その実行される時刻は毎回ランダムに決定されるという特徴を持つ。
【００２７】
このような特徴のため、時計１のパフォーマンス機構が正常に動作するか否かを確かめる場合、例えば製品出荷前の検査において正常にパフォーマンス機構が正常に動作するか否かの確認は、非常に困難である。
【００２８】
例えば時計１において、パフォーマンス機構が正常に動作するかを確認するためには、ランダムな時間が経過するのを待たなくてはならない。それは数分かもしれないし、数１０分かもしれない。その間、検査を行っている検査官は、時計１の前から離れることができない。
【００２９】
さらに制御部１００はパフォーマンスを実行しないという選択も行い得るので、パフォーマンスは実行されないかもしれない。このような場合、それが正常な機能によるものか、それともパフォーマンス機構の機能不全によるものなのかを検査を行っている検査官が判断するのは非常に困難である。
【００３０】
しかしながら、制御部１００は、以下の制御を実行することにより、上記のような問題を解消している。
【００３１】
制御部１００が実行する制御について説明する。図５は、制御部１００が実行する制御の一例を示したフローチャートである。
【００３２】
まず制御部１００は、パフォーマンスを実行するランダムな時間が経過したか否かを判定する（ステップ１）。ランダムな時間が経過した場合には直ちにパフォーマンスを実行する（ステップ８）。なお、ランダムな時間については後述する。ランダムな時間が経過していない場合には次のステップに進む。
【００３３】
次のステップでは、検出機構９０により分針９の位置検出がなされたか否かを判定する（ステップＳ２）。位置検出がなされない場合には、なされるまで、制御部１００はカウントを続ける。
【００３４】
分針９の位置検出がなされると、制御部１００は現在のカウンタ値が予想カウンタ値よりも小さいか否かを判定する（ステップＳ３）。現在のカウンタ値とは、前回、分針９が検出された際にリセットされてからの経過時間をカウントした実際のカウンタ値である。予想カウンタ値とは、分針９がモータの動力にのみ基づいて回転した場合の、分針９が一周する時間分に相当するカウンタ値である。予想カウンタ値は、予め制御部１００のＲＯＭに記憶された固定値である。
【００３５】
カウンタ値と予想カウンタ値との差が所定の範囲内にある場合には、制御部１００はカウンタをリセットしてスタートする（ステップＳ４）。この場合には、モータの動力にのみ基づいて分針９が回転していると判定できる。
【００３６】
なお、分針９の検出機構は機械的構成のため、検出位置は毎回ある程度ばらつく。具体的には６０分間をカウントした場合に、カウンタ値と予想カウンタ値とでは最大で３分程度の誤差を生ずる。従って、本発明においては予想カウンタ値に対するカウンタ値の差が最大で５分以内であれば、カウンタ値と予想カウンタ値とは同一であると判断するものとしている。
【００３７】
次に制御部１００は、パフォーマンスを実行するか否かを決定する（ステップ５）。パフォーマンスを実行しないと決定された場合には、再びステップ１へと戻る。
【００３８】
パフォーマンスを実行すると決定された場合には、制御部１００は、位置検出がなされてからパフォーマンスを実行するまでの時間を設定する（ステップＳ６）。
【００３９】
なお、位置検出がなされてからパフォーマンスを実行するまでの時間は予想カウント値より小さい値となる範囲内でランダムに設定される。従って、分針９が検出された後に、モータの動力にのみに基いて回転した場合に再度分針９が検出されるまでの範囲内で必ずパフォーマンスが実行される。
【００４０】
制御部１００は、設定されたランダムな時間が経過したか否かを判定する（ステップＳ１）。ランダムな時間を経過した場合には、制御部１００は、ＬＥＤ７を点灯させてパフォーマンスを開始する（ステップＳ８）。以上のように、通常作動時は、パフォーマンスが実行されるか否かが制御部１００によって分針９が検出される毎に決定される。
【００４１】
パフォーマンスを実行すると決定された場合には、分針９が検出された後、分針９がモータの動力のみに基いて回転した場合に再度分針９が検出されるまでのランダムな時刻でパフォーマンスが実行される。
【００４２】
パフォーマンスを実行しないと決定された場合には、パフォーマンスを実行するまでの時間が設定されないので、ステップ１においてランダムな時間が経過していないと判定される。従ってパフォーマンスが実行されることはない。
【００４３】
ステップＳ３において、カウンタ値と予想カウンタ値との差が所定の範囲よりも大きい場合には、針回しカナ８０を用いて時針８、分針９が手動により強制的に回転させられたことが想定される。この場合には、制御部１００は、カウンタをリセットしスタートし（ステップＳ７）、直ちにパフォーマンスを実行する（ステップＳ8）。これにより、手動で時針８、分針９が回転させられた場合には、直ちにパフォーマンスの動作を確認することができる。例えば製品出荷前においては、作業者が針回しカナ８０を強制的に回転させることにより直ちにパフォーマンスを実行させることができる。これにより、例えば検出機構９０と制御部１００との接続の確認などを行なうことができる。
【００４４】
以上のように、制御部１００は、検出機構９０が前回の検出した時から今回の検出した時までの検出間隔をカウントし、カウンタ値と予想カウンタ値とに基づいて、分針９がモータの動力により回転したものであるか又は手動で強制的に回転させられたものかを判別できる。
【００４５】
以上本発明の好ましい一実施形態について詳述したが、本発明は係る特定の実施形態に限定されるものではなく、特許請求の範囲に記載された本発明の要旨の範囲内において、種々の変形・変更が可能である。
【００４６】
パフォーマンスは、上記例に限定されない。例えば、文字板が回転するものや、メロディーが流れるパフォーマンスであってもよい。
【００４７】
指針の位置を検出する機構は、上記例に限定されない。例えば、輪列の一部を構成する所定の歯車に透孔を設け、その透孔を通過する光を受光することにより指針の位置を検出してもよい。また、絶縁基板上に導体パターンを形成し、導体パターンと摺接可能に切片を歯車に設け、切片と導体パターンとの接続状態により、指針の位置の検出を行ってもよい。
【００４８】
指針の位置を検出する機構は、正時以外の位置を検出するものであってもよい。
【符号の説明】
【００４９】
１  時計
７  ＬＥＤ
８  時針
９  分針
５５  突起
８０  針回しカナ
９０  検出機構
１００  制御部
【図１】
2011038774.tif 000003
【図２】
2011038774.tif 000004
【図３】
2011038774.tif 000005
【図４】
2011038774.tif 000006
【図５】
2011038774.tif 000007